(57)【特許請求の範囲】
【請求項１】
温室内に各畝に対応して設置された畝識別子と、前記温室内で作業者が携帯し前記畝識別子を読み取り可能な識別子読み取り手段及び作業箇所周辺の栽培環境を計測する計測手段を備える携帯端末と、前記携帯端末に蓄積されたデータを取り込んで分析・管理を行うデータ管理手段と、からなることを特徴とする温室栽培労務・生産及び栽培環境管理システム。
【請求項２】
携帯端末が、時刻データ発生部を備え、データ管理手段が、前記携帯端末を接続可能な接続部を備え、この接続部に前記携帯端末を接続した時及び前記接続部から携帯端末を取り外した時に前記時刻データ発生部の時刻データが前記データ管理手段に取り込まれることを特徴とする請求項１に記載の温室栽培労務・生産及び栽培環境管理システム。
【請求項３】
収穫籠に取り付けられた収穫籠識別子と、この収穫籠識別子を読み取り可能な識別子読み取り手段を有する選果機を備え、携帯端末の識別子読み取り手段が収穫籠の識別データを読み取り可能であり、前記選果機による選果データが、この選果機の識別子読み取り手段からの収穫籠識別データと共にデータ管理手段へ転送されることを特徴とする請求項１又は２に記載の温室栽培労務・生産及び栽培環境管理システム。
【発明の詳細な説明】
【０００１】
【発明の属する技術分野】
温室栽培において、作業者の労務管理、作物生産管理、及び栽培環境管理を一元的に行うための技術に関する。
【０００２】
【従来の技術】
大規模なガラス温室による作物栽培において、従来、栽培管理要員（以下、作業者という）の労務管理は、タイムレコーダ等によって記録・管理している。一方、ガラス温室における栽培環境は、温室内のごく一部に設置された計測器によりモニタされ、その計測データに基づいて制御される。また、温室内の各畝で収穫された作物は一箇所に集められ、生産実績（収量・質）はガラス温室全体として把握される。
【０００３】
【発明が解決しようとする課題】
しかしながら、上述した従来の技術によれば、作業者の労務管理はタイムレコーダ等で独立して記録・管理しており、出勤及び退勤時刻のみが記録・管理されるため、就業時間中における作業者の勤務状況等の把握が困難である。
【０００４】
また、ガラス温室の栽培環境はごく一部に設置された計測器により制御されるため、ガラス温室内の栽培環境は、実際には一様ではないが、温室内の各畝で収穫された作物は一箇所に集められ、生産実績はガラス温室全体として把握されるため、ガラス温室内の栽培環境の違いによる収量及び作物品質の差を把握することが難しい。しかも、ガラス温室における栽培環境の設定の妥当性と、設定による収穫量への効果等の検証が難しい。しかも、これらの管理は、温室経営に重要であるにも拘らず、それぞれ独立して管理されているため、日々の温室環境とその結果生じる生産量等の把握を難しくしていた。
【０００５】
本発明は、以上のような問題に鑑みてなされたもので、その技術的課題は、作業者の労務や、温室内の栽培環境及び作物の収量・質等を集中管理することによって、温室栽培及び運営の効率化を図ることにある。
【０００６】
【課題を解決するための手段】
上述の技術的課題を有効に解決するための手段として、請求項１の発明に係る温室栽培労務・生産及び栽培環境管理システムは、温室内に各畝に対応して設置された畝識別子と、前記温室内で作業者が携帯し前記畝識別子を読み取り可能な識別子読み取り手段及び作業箇所周辺の栽培環境を計測する計測手段を備える携帯端末と、前記携帯端末に蓄積されたデータを取り込んで分析・管理を行うデータ管理手段と、からなる。したがって、作業者が携帯した携帯端末から、データ管理手段へ転送された畝識別データによって、作業者がどの畝で作業をしたかといった一日の就労記録を把握することができるため、作業者の適正配置が可能になり、作業箇所周辺の栽培環境が計測されるため、畝識別データとの対応によって温室内の畝毎の栽培環境の分布が把握でき、適切な温室環境設定をすることができる。
【０００７】
請求項２の発明に係る温室栽培労務・生産及び栽培環境管理システムは、請求項１に記載の構成において、携帯端末が、時刻データ発生部を備え、データ管理手段が、前記携帯端末を接続可能な接続部を備え、この接続部に前記携帯端末を接続した時及び前記接続部から携帯端末を取り外した時に前記時刻データ発生部の時刻データが前記データ管理手段に取り込まれるものである。したがって、作業者の一日の就労記録のほか、出退勤時刻も把握することができる。
【０００９】
請求項３の発明に係る温室栽培労務・生産及び栽培環境管理システムは、請求項１又は２に記載の構成において、収穫籠に取り付けられた収穫籠識別子と、この収穫籠識別子を読み取り可能な識別子読み取り手段を有する選果機を備え、携帯端末の識別子読み取り手段が収穫籠の識別データを読み取り可能であり、前記選果機による選果データが、この選果機の識別子読み取り手段からの収穫籠識別データと共にデータ管理手段へ転送されるものである。したがって、収穫に用いる収穫籠の識別データが、携帯端末で読み取られると共に選果機で読み取られ、選果機で読み取られた収穫籠識別データが収穫データと共にデータ管理手段へ転送されるため、収穫位置と生産量・質を正確に管理することができ、適切な出荷を計画することができる。
【００１０】
【発明の実施の形態】
以下、本発明の好ましい実施の形態について、図面を参照しながら説明する。図１は、本発明に係る温室栽培労務・生産及び栽培環境管理システムを適用したガラス温室の概略的な平面図である。この図１において、参照符号１はガラス温室、２はこのガラス温室１の一側中央の出入口１ａから室内地面を左右に二分するように延びる作業通路、３，３，…は、作業通路２の左右両側の圃場に、適当な間隔で形成された作物栽培用の畝である。なお、ここでいう畝とは、栽培の一区画のことであり、例えば水耕栽培用の栽培区画等も含まれる。
【００１１】
作業通路２上における各畝３の端部には、畝番号が、標柱等のような適当な表示手段（図示省略）によって表示されており、この畝番号表示手段には畝識別子４，４，…がそれぞれ取り付けられている。また、これら畝識別子４，４，…は、例えば固有のＩＤが符号化されたバーコードが印刷されたバーコードラベル等からなる。
【００１２】
図２は、本発明に係る温室栽培労務・生産及び栽培環境管理システムの構成を示す説明図である。この図２における参照符号５は、作業者（栽培管理要員）がガラス温室１内の畝３，３，…で生育した果実などの作物を収穫する際に使用する収穫籠（図示省略）に取り付けられた収穫籠識別子である。これら収穫籠識別子５は、例えば固有のＩＤが符号化されたバーコードが印刷されたバーコードラベル等からなる。
【００１３】
参照符号６は、作業者（栽培管理要員）が勤務中に携帯する携帯端末である。この携帯端末６は、畝識別子４や収穫籠識別子５を読み込むことのできるバーコードリーダ等の識別子読み取り部６１と、気温や湿度等の栽培環境を一定のサンプリング周期（例えば１０分間隔）で計測する環境計測部６２と、日付や時刻のデータを発生する時刻データ発生部６３と、これら識別子読み取り部６１、環境計測部６２からのデータを時刻データ発生部６３からのデータと共に一時的に蓄積するメモリ６４と、蓄積データを後述するデータ管理装置７のデータ回収部７１に転送するデータ転送部６５とを有し、蓄電池６６により動作する。また、メモリ６４には、各携帯端末６固有の、又はこの携帯端末６を使用する作業者に付与された固有のＩＤ等の識別データが格納されている。
【００１４】
図１に示されるように、ガラス温室１の出入口１ａ近傍には、データ管理装置７が設置されている。図２に示されるように、データ管理装置７は、携帯端末６のメモリ６４に蓄積されたデータが転送され蓄積されるデータ回収部７１と、このデータ回収部７１に接続されたコンピュータ７２と、各携帯端末６における蓄電池６６への充電部７３とを備える。
【００１５】
データ管理装置７におけるデータ回収部７１は、携帯端末６を個々に嵌め込んで収納することのできる所要数の接続部を有し、この接続部に携帯端末６を嵌め込んで収納することにより、携帯端末６のメモリ６４からデータ回収部７１へのデータ転送、及び携帯端末６の蓄電池への充電が行われるようになっている。
【００１６】
データ管理装置７におけるコンピュータ７２は、データ回収部７１を介して入力された各種データから、個々の作業者の労務管理や、温室内の作物の生産管理や、温室内の栽培環境管理に必要なデータを演算・分析する演算処理部やその処理プログラムを格納したメモリ等を内蔵した本体７２ａと、演算処理部における処理結果を画像出力表示するディスプレイ７２ｂと、キーボード７２ｃやマウス７２ｄ等によるデータ入力手段を備え、例えば汎用のパソコン等からなるものである。
【００１７】
参照符号８は自動選果機である。この自動選果機８は、良く知られているように、ガラス温室１内の各畝３から収穫した果実を、重量、色、あるいは糖度を計測することによっていくつかのグループに分級し、箱詰め等を行う装置であって、すなわち重量選別のための荷重センサ８１、色選別のためのカラー撮像センサ８２及び／又は糖度選別のための糖度センサ８３と、収穫籠識別子５を読み込むことのできるバーコードリーダ等の識別子読み取り部８４と、前記各センサ８１〜８３の検出データから果実の大きさや品質等を判定して選別動作部８８の駆動を制御する制御部８５と、前記識別子読み取り部８４からの収穫籠識別データを含む各種データを蓄積するメモリ８６と、これらの蓄積データをデータ管理装置７のデータ回収部７１に転送するデータ転送部８７とを有する。
【００１８】
以上の構成において、作業者は、出勤して一日の作業を開始する際に、まずデータ管理装置７の接続部から、当該作業者専用の携帯端末６を取り外して携帯し、ガラス温室１内へ入室する。このとき、携帯端末６のメモリ６４に、データ管理装置７の接続部から当該携帯端末６を取り外した時の時刻、言い換えれば就労開始時刻のデータが、時刻データ発生部６３により入力される。携帯端末６の蓄電池６６は、接続部を介してデータ管理装置７における充電部７３と接続状態にあったため、一日の就業時間中の動作を維持するのに十分な電力が充電されている。
【００１９】
ガラス温室１内へ入室した作業者は、作業通路２から畝３，３，…へ入る際に、畝番号表示手段に取り付けられたバーコードからなる畝識別子４を、携帯端末６の識別子読み取り部６１で読み取る。畝３では、作業者は、給水状態や作物の生育状態を確認したり、必要に応じて施肥や剪定、収穫等の作業を行うが、その過程で、携帯端末６は、環境計測部６２によって、周囲の気温や湿度等の栽培環境データを自動計測する。そして、識別子読み取り部６１及び環境計測部６２からのデータは、携帯端末６のメモリ６４に蓄積される。
【００２０】
また、ガラス温室１内の畝３，３，…で生育した例えば果実等の作物を収穫する場合は、収穫籠識別子５が取り付けられた収穫籠を用いる。作業者は、果実の収穫のために畝３へ入る際に、畝番号表示手段に取り付けられた畝識別子４と、持参した収穫籠の収穫籠識別子５を、携帯端末６の識別子読み取り部６１で読み取る。読み取られた畝識別データ及び収穫籠識別データは、携帯端末６のメモリ６４に蓄積される。
【００２１】
収穫した果実は、自動選果機８によって、重量、色、あるいは糖度に応じていくつかのグループに分級し、箱詰めするといった選果作業を行う。このとき、選果作業に先立って、予め、収穫した果実を収容した収穫籠の収穫籠識別子５を、自動選果機８の識別子読み取り部８４によって読み取る。読み取られた収穫籠識別データは、収穫果実の分級過程で計測される重量、色、あるいは糖度等のデータと共に、メモリ８６に蓄積され、データ管理装置７に転送される。したがって、収穫籠ごとの果実の収穫量と品質を把握することができる。
【００２２】
作業者は、一日の就労時間が経過して、退勤する際に、携帯していた携帯端末６を、データ管理装置７における所定の接続部に嵌め込んで収納する。これによって、携帯端末６のメモリ６４からデータ転送部６５を介して、データ管理装置７のデータ回収部７１へのデータ転送が行われると共に、充電部７３と接続されることによって、携帯端末６の蓄電池６６への充電が行われる。
【００２３】
携帯端末６のメモリ６４からデータ管理装置７のデータ回収部７１へ転送されるデータは、この携帯端末６の固有の識別データと、出勤時にデータ管理装置７の接続部から当該携帯端末６を取り外すことによる就労開始時刻のデータと、一日の就労において作業者が入った各畝３の固有の畝識別データと、この畝３における気温や湿度等の栽培環境データと、収穫に用いた収穫籠の識別データと、当該携帯端末６をデータ管理装置７の接続部へ嵌め込むことによる退勤時刻のデータ等が含まれる。このため、作業者の出退勤時刻や、就労中に畝３，３，…のうち、どの畝で作業をしたかといった労務データと、畝３ごとの栽培環境分布データと、どの収穫籠を使ったかといったデータを得ることができる。
【００２４】
また、携帯端末６からデータ回収部７１へ転送された当該携帯端末６の固有識別データ、収穫籠識別データ及び畝識別データは、自動選果機８からの転送データと照合されることによって、特定の場所の収穫量・質と作業に関わった作業者が特定され、更に、ガラス温室１内の各畝３，３，…毎の気温や湿度等の計測データから、温度−湿度の分布と、畝３，３，…毎の収穫状況等が特定される。したがって、この携帯端末６を携帯した作業者が用いた収穫籠、果実を収穫した畝、その畝からの果実の収穫量及び質、温湿度の分布等を一元管理することが可能になり、労務管理の省力化と同時に、温室の栽培環境の分布と生産状況を経時的に知ることができるようになり、生産効率の高い栽培環境設定のための情報を得ることができる。
【００２５】
【発明の効果】
本発明に係る温室栽培労務・生産及び栽培環境管理システムによれば、次のような効果が実現できる。
【００２６】
まず、労務管理において、作業者の出退勤と一日の記録を把握することができるため、要員の適正配置が可能になる。また、生産管理において、収穫位置と生産量・質を正確に管理することができるため、適切な出荷計画を作成することができる。また、栽培環境管理において、温室内の栽培環境の分布と生産分布が把握できるため、適切な温室環境設定をすることができる。しかも、これら労務、生産及び栽培環境を一元管理できるため、栽培環境の設定と生産量を予測しやすくなり、生産計画（出荷計画）の作成と同時に、人員の適正管理も容易となる。
【図面の簡単な説明】
【図１】本発明に係る温室栽培労務・生産及び栽培環境管理システムを適用したガラス温室の概略的な平面図である。
【図２】本発明に係る温室栽培労務・生産及び栽培環境管理システムの構成を示す説明図である。
【符号の説明】
１  ガラス温室
２  作業通路
３  畝
４  畝識別子
５  収穫籠識別子
６  携帯端末
６１  識別子読み取り部
６２  環境計測部
６３  時刻データ発生部
６４  メモリ
７  データ管理装置（データ管理装置）
７１  データ回収部
７２  コンピュータ
８  自動選果機
８４  識別子読み取り部
【図１】
0004177010.tif 000002
【図２】
0004177010.tif 000003